(57)【要約】【課題】地上波デジタル受信機において、居住者地域の設定を容易にすることにある。【解決手段】居住者地域に基づいて地上波デジタル放送信号を受信する地上波放送受信機において、初期設定時に全チャンネルをスキャンして受信可能なチャンネルを検索するチャンネルスキャン手段と、チャンネルごとにＣ／Ｎ比を検出するＣ／Ｎ比検出手段と、Ｃ／Ｎ比が最も高いチャンネルの地域を居住者地域として推定する推定手段と、推定された居住者地域を自動的に設定する地域設定手段とを備える。【選択図】      図７
2004312204.tif 000002
【特許請求の範囲】
【請求項１】
居住者地域に基づいて地上波デジタル放送信号を受信する地上波放送受信機において、
初期設定時に全チャンネルをスキャンして受信可能なチャンネルを検索するチャンネルスキャン手段と、
前記チャンネルごとにＣ／Ｎ比を検出するＣ／Ｎ比検出手段と、
前記Ｃ／Ｎ比が最も高いチャンネルの地域を居住者地域として推定する推定手段と、
前記推定された居住者地域を自動的に設定する地域設定手段と、
を備える地上波デジタル放送受信機。
【請求項２】
居住者地域に基づいて地上波デジタル放送信号を受信する地上波放送受信機において、
初期設定時に全チャンネルをスキャンして受信可能なチャンネルを検索するチャンネルスキャン手段と、
前記チャンネルごとにＣ／Ｎ比を検出するＣ／Ｎ比検出手段と、
前記Ｃ／Ｎ比が最も高いチャンネルの地域を居住者地域として推定する推定手段と、
前記推定結果に基づいて居住者地域を設定する地域設定手段と、
を備える地上波デジタル放送受信機。
【請求項３】
前記地域設定手段は、前記推定された居住者地域を自動的に設定する、請求項２に記載の地上波デジタル放送受信機。
【請求項４】
前記地域設定手段は、前記推定された居住者地域及び近接する地域を表示し、前記表示された地域から視聴者の選択により居住者地域を設定する、請求項２に記載の地上波デジタル放送受信機。
【発明の詳細な説明】
【０００１】
【発明の属する技術分野】
本発明は、地上波デジタル放送受信機、特に、居住者地域に基づいて地上波デジタル放送信号を受信する地上波放送受信機に関する。
【０００２】
【従来の技術】
２００３年１２月から三大広域圏（関東、中京、近畿）で本放送の開始が予定されている地上波デジタル放送では、視聴者の居住場所を表す居住者地域を設定し、この居住者地域に基づいてワンタッチボタンの割り当てや枝番号の付与などの受信設定を行っている。居住者地域の設定は、都道府県名、郵便番号、市外局番などを視聴者が入力することにより行われると考えられている。
【０００３】
特許文献１には、地域ごとに受信可能なチャンネルのリストを予め保持しており、視聴者が初期設定を指示すると、チャンネルスキャンを行い、スキャンされた受信可能なチャンネルをチャンネルリストと比較し、受信可能なチャンネルが完全に一致する地域に基づいてチャンネル番号を割り当てる受信機が記載されている。
【０００４】
特許文献２には、テレビ用チューナ回路とラジオ用チューナ回路とを備える車載用又は携帯用受信機が記載されている。この受信機では、ラジオを受信していない期間にラジオ用チューナ回路によりラジオ電波の受信強度の測定を行い、テレビの地域設定を補正する。
【０００５】
特許文献３には、ＡＧＣ制御信号、同期確立状態、分散値又は訂正前誤り率値、内符号訂正後誤り率値、外符号訂正後誤り率値の順序で比較判別を行うことにより、低電界強度時や低Ｃ／Ｎ時であっても、地上波デジタル放送における受信可能番組の自動検索を高速に行うことができる受信機が記載されている。
【０００６】
特許文献４には、視聴者により入力された地域の情報又はＧＰＳ等の自動測位システムから得られる地域の情報を用いて、各チャンネルの周波数テーブルを最新のものに更新する受信機が記載されている。
【０００７】
【特許文献１】
特開２０００−１３６９９号公報（第２−３頁、第２−３図）
【０００８】
【特許文献２】
特開２００１−２３７７２９号公報（第４−９頁、第１−２図）
【０００９】
【特許文献３】
特開２００２−９４４０２号公報（第７−１１頁、第１−３図）
【００１０】
【特許文献４】
特開２００２−２１８３３９号公報（第３−５頁、第１−５図）
【００１１】
【発明が解決しようとする課題】
特許文献１に記載の受信機では、スキャンされた受信可能なチャンネルがチャンネルリストと完全一致する地域に居住者地域を設定するが、地上波デジタル放送では、同一地域内でも放送開始時期が異なるチャンネルがあり、完全一致による判断では地域設定を行うことができない場合がある。
【００１２】
特許文献２に記載の受信機では、車載用受信機のようにラジオ用チューナ回路を備えていなければ地域設定を補正することがでず、家庭用の受信機では別途ラジオ用チューナ回路を追加する必要があり、コストアップのおそれがある。
【００１３】
特許文献３に記載の受信機は、チャンネルスキャンの高速化を図るものであり、地域設定については具体的に記載されていない。
【００１４】
また、特許文献４に記載の受信機では、居住者地域を視聴者が入力するか又は自動測位システムにより検出するものである。前者の場合は、視聴者が入力する作業が必要であるため特に年少者や高齢者にとっては困難な場合がある。後者の場合は、ＧＰＳ等の自動測位システムを別途設ける必要があるためコストアップのおそれがある。
【００１５】
本発明の目的は、地上波デジタル受信機において、居住者地域の設定を容易にすることにある。
【００１６】
【課題を解決するための手段】
第１発明に係る地上波デジタル放送受信機は、居住者地域に基づいて地上波デジタル放送信号を受信する地上波放送受信機において、チャンネルスキャン手段と、Ｃ／Ｎ比検出手段と、推定手段と、地域設定手段とを備えている。チャンネルスキャン手段は、初期設定時に全チャンネルをスキャンして受信可能なチャンネルを検索する。Ｃ／Ｎ比検出手段は、チャンネルごとにＣ／Ｎ比を検出する。推定手段は、Ｃ／Ｎ比が最も高いチャンネルの地域を居住者地域として推定する。地域設定手段は、推定された居住者地域を自動的に設定する。
【００１７】
この地上波デジタル放送受信機では、初期設定時においてチャンネルスキャンの結果に基づいて居住者地域を推定して自動的に設定するため、視聴者は都道府県名、郵便番号、市外局番などを入力する必要がない。この結果、居住者地域の設定が容易になり、年少者や高齢者も容易に居住者地域を設定することができるようになる。また、各チャンネルのＣ／Ｎ比を比較して最も受信状態の良い地域を推定するので、全チャンネルが受信可能な地域がない場合であっても、居住者地域の設定を行うことができる。
【００１８】
第２発明に係る地上波デジタル放送受信機は、居住者地域に基づいて地上波デジタル放送信号を受信する地上波放送受信機において、チャンネルスキャン手段と、Ｃ／Ｎ比検出手段と、推定手段と、地域設定手段とを備えている。チャンネルスキャン手段は、初期設定時に全チャンネルをスキャンして受信可能なチャンネルを検索する。Ｃ／Ｎ比検出手段は、チャンネルごとにＣ／Ｎ比を検出する。推定手段は、Ｃ／Ｎ比が最も高いチャンネルの地域を居住者地域として推定する。地域設定手段は、推定結果に基づいて居住者地域を設定する。
【００１９】
この地上波デジタル放送受信機では、各チャンネルごとにＣ／Ｎ比を比較し、Ｃ／Ｎ比が最も高いチャンネルの地域を居住者地域と推定するため、全チャンネルが受信可能な地域がない場合でも居住者地域の設定を行うことができる。
【００２０】
第３発明に係る地上波デジタル放送受信機は、第２発明に係る地上波デジタル放送受信機において、地域設定手段は、推定された居住者地域を自動的に設定する。
【００２１】
この場合、推定された居住者地域を自動的に設定するので、視聴者による操作を省略できる。
【００２２】
第４発明に係る地上波デジタル放送受信機は、第２発明に係る地上波デジタル放送受信機において、地域設定手段は、推定された居住者地域及び近接する地域を表示し、表示された地域から視聴者の選択により居住者地域を設定する。
【００２３】
この地上波デジタル放送受信機では、推定された地域に加えて、近接する地域も画面に表示し、視聴者からの選択を受け付ける。この場合、視聴者は、都道府県名、郵便番号、市外局番などを入力する煩わしい操作をすることなく、受信可能な地域の候補の中から居住者地域を選択することができる。
【００２４】
【発明の実施の形態】
（１）第１実施形態
（１−１）構成
図１は、本発明の一実施形態に係る地上波デジタル放送受信機の構成図である。この受信機は、ＯＦＤＭチューナ回路１と、ＤＥ・ＭＵＸ回路２と、ＭＰＥＧＤＥＣＯＤＥＲ回路３と、ＧＲＡＰＨＩＣ回路４と、ＮＴＳＣエンコーダ回路５と、ＣＰＵ６と、メモリ７，８とを備えている。ＯＦＤＭチューナ回路１は、ＣＰＵ６により設定されるチャンネルの周波数に基づいて放送信号を受信する。ＤＥ・ＭＵＸ回路２は、ＯＦＤＭ信号をＭＰＥＧ形式のデータにデコードしてＭＰＥＧ  ＤＥＣＯＤＥＲ回路３に出力するとともに、ＮＩＴに含まれる地域識別情報をＣＰＵ６に入力する。ＭＰＥＧ  ＤＥＣＯＤＥＲ回路３は、ＭＰＥＧ形式のデータをデコードする。ＧＲＡＰＨＩＣ回路４は、デコードされたＭＰＥＧ形式のデータを画像信号に変換する。ＮＴＳＣエンコーダ回路５は、画像信号をＮＴＳＣ信号に変換し、テレビ等の表示装置に出力する。なお、テレビがＤ端子を有している場合には、直接Ｄ端子に入力するようにしてもよい。
【００２５】
ＣＰＵ６は、ＯＦＤＭチューナ回路１にチャンネルの周波数を設定することによりチャンネルスキャンを行うとともに、ＤＥ・ＭＵＸ回路２からＮＩＴに含まれる地域識別情報を取得する。ＣＰＵ６は、取得した地域識別情報をチャンネル名（放送局名）と対応づけてメモリ７に蓄積する。また、ＣＰＵ６は、チャンネルスキャンの結果、受信可能なチャンネル数を地域識別情報ごとに集計し、最も受信可能なチャンネル数の多い地域識別情報が表す地域を居住者地域として推定する。図４の例では、放送局Ａ及びＢが地域識別情報０１であるので、地域識別情報０１における受信可能チャンネル数は２である。地域識別情報０２については受信可能チャンネル数は１、地域識別情報０３については受信可能チャンネル数は１である。
【００２６】
メモリ７及び８は、フラッシュメモリ等の不揮発性のメモリである。メモリ７には、図４に示すように、受信可能チャンネルと地域識別情報とが蓄積される。メモリ８には、図３に示すように、事前に、地域名及び地域識別情報が蓄積されている。
（１−２）居住者地域の設定方法
この地上波デジタル放送受信機における居住者地域の設定方法を図２及び図４を参照して説明する。図２に示すように、地上波デジタル放送受信機が岡山に設置されている場合、この受信機には域内（岡山）の放送局（チャンネル）から放送信号を受信するとともに、域外である兵庫、広島、愛媛の放送局（チャンネル）からも越境受信する場合がある。この場合に、チャンネルスキャンにより、図４に示すように、受信機が受信可能な全てのチャンネルを検索し、地域識別情報とともに蓄積する。そして、地域識別情報ごとに受信可能なチャンネル数を集計し、最も受信可能チャンネル数が多い地域識別情報０２の地域である岡山を居住者地域と推定し、推定された居住者地域（岡山）を自動的に設定する。なお、推定された居住者地域（岡山）と近隣の地域（兵庫、広島、愛媛）とをともに画面に表示し、視聴者が地域を選択できるようにしても良い。
（１−３）フローチャート
図５は、本発明に係る地上波デジタル受信機による居住者地域の設定処理のフローチャートである。
【００２７】
ステップＳ１１：初期設定を行うか否かを判別する。具体的には、工場出荷後初めて電源が投入されたか、視聴者からの初期設定開始の指示があったか否かによって判断する。初期設定を行う場合にはステップＳ１２に移行し、初期設定を行わない場合には他の処理へ移行する。
【００２８】
ステップＳ１２：全チャンネルについてチャンネルスキャンを行い、受信可能なチャンネルと地域識別情報とをメモリ７に蓄積する。
【００２９】
ステップＳ１３：地域ごとに受信可能チャンネル数を算出する。
【００３０】
ステップＳ１４：受信可能チャンネル数が最も多い地域を居住者地域と推定する。
【００３１】
ステップＳ１５：推定された居住者地域を自動的に設定する。なお、推定された居住者地域と近隣の地域とをともに画面に表示し、視聴者からの選択を受け付けて設定しても良い。
（１−４）まとめ
本実施形態に係る地上波デジタル放送受信機では、初期設定時にチャンネルスキャンを行い、受信可能なチャンネルと地域識別情報とを蓄積し（図４）、地域識別情報ごとに受信可能なチャンネル数を集計し、受信可能なチャンネル数が最も多い地域を居住者地域と推定するため、全てのチャンネルが受信可能な地域がない場合でも、地域設定をすることができる。
【００３２】
また、初期設定を指示すれば自動的に居住地域の推定を行うので、視聴者に煩雑な作業を課すことがなく、居住者地域の設定を容易に行うことができる。
（２）第２実施形態
（２−１）構成
本実施形態に係る地上波デジタル放送受信機の構成は、居住者設定を行うためのＣＰＵ６の機能が第１実施形態の場合と異なる以外は、第１実施形態と同様である。本実施形態に係るＣＰＵ６は、ＯＦＤＭチューナ回路１にチャンネルの周波数を設定することによりチャンネルスキャンを行うとともに、図６に示すように、受信可能なチャンネルごとにＣ／Ｎ比及び地域識別情報をメモリ７に蓄積する。また、ＣＰＵ６は、メモリ７に蓄積されている各チャンネルのＣ／Ｎ比を比較し、最もＣ／Ｎ比が大きいチャンネルの地域識別情報の地域を居住者地域と推定する。図６の例では、放送局Ｄ及びＥのＣ／Ｎ比がともに２０で最大であるので、放送局Ｄ及びＥの地域識別情報０２の地域を居住者地域と推定する。
（２−２）居住者地域の設定方法
この地上波デジタル放送受信機における居住者地域の設定方法を図２及び図６を参照して説明する。図２に示すように、地上波デジタル放送受信機が岡山に設置されている場合、この受信機には域内（岡山）の放送局（チャンネル）から放送信号を受信するとともに、域外である兵庫、広島、愛媛の放送局（チャンネル）からも越境受信する場合がある。この場合に、チャンネルスキャンにより、図６に示すように、全てのチャンネルを検索し、Ｃ／Ｎ比及び地域識別情報とともに蓄積する。そして、Ｃ／Ｎ比が最も高いチャンネルの地域識別情報０２の岡山を居住者地域と推定し、推定された居住者地域（岡山）を自動的に設定する。なお、推定された居住者地域（岡山）と近隣の地域（兵庫、広島、愛媛）とをともに画面に表示し、視聴者が地域を選択できるようにしても良い。
（２−３）フローチャート
図７は、第２実施形態に係る居住者地域の設定処理のフローチャートである。
【００３３】
ステップＳ２１：初期設定を行うか否かを判別する。具体的には、工場出荷後初めて電源が投入されたか、視聴者からの初期設定開始の指示があったか否かによって判断する。初期設定を行う場合にはステップＳ２２に移行し、初期設定を行わない場合には他の処理へ移行する。
【００３４】
ステップＳ２２：全チャンネルについてチャンネルスキャンを行い、Ｃ／Ｎ比を検出する。
【００３５】
ステップＳ２３：Ｃ／Ｎ比の最も高いチャンネルの地域を居住者地域と推定する。
【００３６】
ステップＳ２４：推定された居住者地域を自動的に設定する。なお、推定された居住者地域と近隣の地域とをともに画面に表示し、視聴者からの選択を受け付けて設定しても良い。
（２−４）まとめ
本実施形態に係る地上波デジタル放送受信機では、初期設定時にチャンネルスキャンを行い、受信可能なチャンネルとＣ／Ｎ比及び地域識別情報とを蓄積し（図６）、Ｃ／Ｎ比の最も高い地域を居住者地域と推定するため、全てのチャンネルが受信可能な地域がない場合でも、地域設定をすることができる。
【００３７】
また、初期設定を指示すれば自動的に居住地域の推定を行うので、視聴者に煩雑な作業を課すことがなく、居住者地域の設定を容易に行うことができる。
【００３８】
【発明の効果】
本発明によれば、地上波デジタル受信機において、居住者地域の設定を容易にできる。
【図面の簡単な説明】
【図１】本発明の一実施形態に係る地上波デジタル放送受信機の構成図。
【図２】地上波デジタル放送の受信を説明する図。
【図３】放送が開始されているチャンネルのリスト。
【図４】受信可能なチャンネル及び地域識別情報のリスト。
【図５】第１実施形態に係る居住者地域の設定処理のフローチャート。
【図６】受信可能なチャンネル、Ｃ／Ｎ比及び地域識別情報のリスト。
【図７】第２実施形態に係る居住者地域の設定処理のフローチャート。
【符号の説明】
１  ＯＦＤＭチューナ回路
２  ＤＥ・ＭＵＸ回路
３  ＭＰＥＧ  ＤＥＣＤＥＲ回路
４  ＧＲＡＰＨＩＣ回路
５  ＮＴＳＣエンコーダ回路
６  ＣＰＵ
７，８  メモリ
【図１】
2004312204.tif 000003
【図２】
2004312204.tif 000004
【図３】
2004312204.tif 000005
【図４】
2004312204.tif 000006
【図５】
2004312204.tif 000007
【図６】
2004312204.tif 000008
【図７】
2004312204.tif 000009